(57)【特許請求の範囲】
【請求項１】
反射鏡と該反射鏡から延出されたアーム部を介して該反射鏡の焦点位置に配置された受信部とを有する衛星受信アンテナのアーム部に固定して使用されるＵＨＦアンテナであって、
ループ状に形成されたアンテナ素子と給電部とからなる放射器と、
該放射器の給電部から出力されるＵＨＦ受信信号及び前記衛星受信アンテナの受信部から出力される衛星受信信号をそれぞれ取り込むための入力端子、該入力端子から入力された各信号を混合する混合回路、及び、該混合回路にて混合された受信信号を外部の受信端末へと出力する出力端子を有する電子機器と、
前記衛星受信アンテナのアーム部に着脱自在に固定され、前記放射器の給電部を支持して前記アンテナ素子のループを前記衛星受信アンテナの反射鏡との対向位置に配置すると共に、前記電子機器を前記衛星受信アンテナのアーム部を挟んで前記アンテナ素子とは反対側に固定する固定部と、
を備えたことを特徴とするＵＨＦアンテナ。
【請求項２】
前記電子機器は、前記衛星受信アンテナの受信部への給電のために外部の受信端末側より伝送されてきた電源信号を、前記出力端子から、前記衛星受信アンテナの受信部に接続される入力端子へと通過させる電源通過回路を備えたことを特徴とする請求項１に記載のＵＨＦアンテナ。
【請求項３】
前記電子機器は、前記ＵＨＦ受信信号を増幅して前記混合回路に入力する増幅回路と、前記受信端末側より伝送されてきた電源信号を利用して前記増幅回路に電源供給を行う電源回路と、を備えたことを特徴とする請求項１又は請求項２に記載のＵＨＦアンテナ。
【請求項４】
前記固定部は、前記衛星受信アンテナのアーム部に固定された状態で、前記アンテナ素子の電波の放射方向を調整可能に構成されていることを特徴とする請求項１〜請求項３の何れかに記載のＵＨＦアンテナ。
【請求項５】
反射鏡と、該反射鏡から延出されたアーム部を介して該反射鏡の焦点位置に配置された受信部と、を備え、衛星放送を受信可能な衛星受信アンテナであって、
前記アーム部に、請求項１〜請求項４の何れかに記載のＵＨＦアンテナが装着されたことを特徴とする衛星受信アンテナ。
【発明の詳細な説明】
【技術分野】
【０００１】
本発明は、地上デジタル放送を受信するのに好適なＵＨＦアンテナ、及び、このＵＨＦアンテナが取り付けられた衛星受信アンテナに関する。
【背景技術】
【０００２】
従来より、テレビ放送局からＶＨＦ帯若しくはＵＨＦ帯の電波（地上波）を利用して送信された地上放送信号を受信する受信アンテナとしては、通常、放射器と導波器と反射器とからなる多素子のアンテナ（ＶＨＦアンテナ、ＵＨＦアンテナ）が使用されている。
【０００３】
また、放送衛星（ＢＳ）若しくは通信衛星（ＣＳ）を中継局として配信される衛星放送信号を受信する衛星受信アンテナとしては、反射鏡と、反射鏡から延出されたアーム部を介して反射鏡の焦点位置に配置された一次放射器とからなるパラボラアンテナが使用されている。
【０００４】
そして、これら各アンテナにて地上放送信号と衛星放送信号とを各々受信し、各受信信号を一本の同軸ケーブルを介して端末側まで伝送する際には、各受信信号を混合器にて混合することになるが、この混合器としての機能を、衛星受信アンテナの一次放射器（詳しくは一次放射器による受信信号をダウンコンバートするダウンコンバータ内）に組み込むことによって、ケーブル配線を簡素化する、といったことも提案されている（例えば、特許文献１等、参照）。
【特許文献１】特開平９−３２１５４４号公報
【発明の開示】
【発明が解決しようとする課題】
【０００５】
ところで、地上波を利用したテレビ放送では、従来のアナログ放送とは別に、ＵＨＦ帯の電波を利用したデジタル放送が実用化され、現在では、地上デジタル放送のサービスエリアが、大都市圏から地方へと拡大しつつある。
【０００６】
そして、この地上デジタル放送の受信には、従来のＵＨＦアンテナ（上述した多素子のアンテナ）を利用できることから、各家庭や施設において、今までＵＨＦ帯のアナログ放送をＵＨＦアンテナを介して受信しており、そのＵＨＦアンテナにて地上デジタル放送を受信できるような場合は、既存のＵＨＦアンテナをそのまま利用することができる。
【０００７】
しかし、各家庭や施設において、電波の到来方向が異なるために既存のＵＨＦアンテナにて地上デジタル放送を受信できない場合や、ＵＨＦアンテナが設置されていない場合に、地上デジタル放送を受信できるようにするには、ＵＨＦアンテナを新たに設置しなければならない。
【０００８】
ところが、従来のＵＨＦアンテナは、通常、ダイポールからなる放射器に加えて、放射器の前方に間隔を空けて配置される１０本程度若しくはそれ以上の管状素子からなる導波器と、放射器の後方に導波器の配列方向とは略直交する方向に間隔を空けて配置される複数本の管状素子からなる反射器とから構成されており、その設置時には、電波の到来方向に向けて導波器、放射器、及び反射器が順に並ぶように、各素子を配置する必要がある。
【０００９】
このため、地上デジタル放送を受信するために従来のＵＨＦアンテナを新たに設置するには、広い設置場所が必要であり、例えば、アパートやマンション等の集合住宅において、各家庭で地上デジタル放送を受信するために、ベランダ等に従来のＵＨＦアンテナを設
置する、といったことは困難であった。
【００１０】
本発明は、こうした問題に鑑みなされたものであり、地上デジタル放送等を受信可能なＵＨＦアンテナを、ベランダ等に容易に取り付け可能な衛星受信アンテナを利用して構成することで、ＵＨＦアンテナの小型化を図り、延いては、地上デジタル放送の普及を促進することを目的とする。
【課題を解決するための手段】
【００１１】
かかる目的を達成するためになされた請求項１に記載の発明は、反射鏡と該反射鏡から延出されたアーム部を介して該反射鏡の焦点位置に配置された受信部とを有する衛星受信アンテナのアーム部に固定して使用されるＵＨＦアンテナであって、
ループ状に形成されたアンテナ素子と給電部とからなる放射器と、
該放射器の給電部から出力されるＵＨＦ受信信号及び前記衛星受信アンテナの受信部から出力される衛星受信信号をそれぞれ取り込むための入力端子、該入力端子から入力された各信号を混合する混合回路、及び、該混合回路にて混合された受信信号を外部の受信端末へと出力する出力端子を有する電子機器と、
前記衛星受信アンテナのアーム部に着脱自在に固定され、前記放射器の給電部を支持して前記アンテナ素子のループを前記衛星受信アンテナの反射鏡との対向位置に配置すると共に、前記電子機器を前記衛星受信アンテナのアーム部を挟んで前記アンテナ素子とは反対側に固定する固定部と、
を備えたことを特徴とする。
【００１２】
また、請求項２に記載の発明は、請求項１に記載のＵＨＦアンテナにおいて、前記電子機器は、前記衛星受信アンテナの受信部への給電のために外部の受信端末側より伝送されてきた電源信号を、前記出力端子から、前記衛星受信アンテナの受信部に接続される入力端子へと通過させる電源通過回路を備えたことを特徴とする。
【００１３】
また次に、請求項３に記載の発明は、請求項１又は請求項２に記載のＵＨＦアンテナにおいて、前記電子機器は、前記ＵＨＦ受信信号を増幅して前記混合回路に入力する増幅回路と、前記受信端末側より伝送されてきた電源信号を利用して前記増幅回路に電源供給を行う電源回路と、を備えたことを特徴とする。
【００１４】
また、請求項４に記載の発明は、請求項１〜請求項３の何れかに記載のＵＨＦアンテナにおいて、前記固定部は、前記衛星受信アンテナのアーム部に固定された状態で、前記アンテナ素子の電波の放射方向を調整可能に構成されていることを特徴とする。
【００１５】
一方、請求項５に記載の発明は、反射鏡と、該反射鏡から延出されたアーム部を介して該反射鏡の焦点位置に配置された受信部と、を備え、衛星放送を受信可能な衛星受信アンテナであって、前記アーム部に、請求項１〜請求項４の何れかに記載のＵＨＦアンテナが装着されたことを特徴とする。
【発明の効果】
【００１６】
請求項１に記載のＵＨＦアンテナによれば、固定部を介して、給電部を衛星受信アンテナのアーム部に固定することにより、アンテナ素子を、そのループが衛星受信アンテナの反射鏡と対向するように配置することができる。
【００１７】
そして、この状態では、アンテナ素子は、衛星受信アンテナの反射鏡と受信部との間に配置されることから、衛星受信アンテナの反射鏡は、ＵＨＦアンテナ（放射器）に対する反射器として機能し、アンテナ素子には、反射鏡の鏡面前方に位置するＵＨＦ放送局からの送信電波と、その送信電波が反射鏡に当たって反射してくる反射波とが入射され、給電
部では、これらを合成したＵＨＦ受信信号が得られることになる。
【００１８】
よって、本発明のＵＨＦアンテナによれば、アンテナ素子と給電部とからなる放射器であるにもかかわらず、ベランダ等に設置された衛星受信アンテナのアーム部に取り付けることで、テレビ放送信号を受信可能なＵＨＦアンテナとして利用することができるようになり、延いては、地上デジタル放送の普及を促進することができる。
【００１９】
また、本発明のＵＨＦアンテナには、放射器の給電部から出力されるＵＨＦ受信信号と衛星受信アンテナの受信部から出力される衛星受信信号とを入力端子を介して取り込み、これら各信号を混合回路にて混合した後、出力端子から出力する電子機器が備えられており、固定部は、この電子機器を、衛星受信アンテナのアーム部を挟んでアンテナ素子とは反対側に固定できるようにされている。
【００２０】
このため、本発明のＵＨＦアンテナによれば、固定部を介して衛星受信アンテナのアーム部に固定された電子機器にて、ＵＨＦ受信信号と衛星受信信号とを混合し、これら各信号を一本の伝送線を介してテレビチューナ等の受信端末へと伝送できることになる。
【００２１】
そして、例えば、既存の衛星受信アンテナに本発明のＵＨＦアンテナを固定するような場合には、固定部を介して放射器及び電子機器を衛星受信アンテナのアーム部に固定した後、衛星受信アンテナの受信部に接続されていた既存の伝送線（同軸ケーブル等）を、電子機器の出力端子に接続し、衛星受信アンテナの受信部には、伝送線を介して電子機器の入力端子を接続すれば、衛星受信アンテナからの受信信号を既存の伝送線を介して端末側に伝送することができるようになり、端末側への伝送線の配線工事を不要にすることができる。
【００２２】
また、本発明では、放射器の給電部と電子機器とを別体で構成していることから、これらを一体化した場合に比べて、アンテナ素子が固定されるベース部（つまり給電部）を軽く小さくすることができる。
【００２３】
このため、アンテナ素子を方向調整する際に、ベース部が邪魔になって、アンテナ方向の調整可能範囲が狭くなるとか、ベース部に風が当たってアンテナ素子の方向がずれてしまう、といったことを防止することができる。
【００２４】
また、アンテナ素子のベース部を軽くすることができるので、アンテナ素子の方向調整後にベース部（つまり給電部）を固定部に固定するのに必要な力を小さくすることができ、アンテナ素子（延いては放射器）を固定部に簡単に固定することが可能となる。
【００２５】
また、電子機器が増幅器である場合、給電部と電子機器とを一体化すると、増幅後の受信信号が給電部に回り込んで、発振することがあるが、本発明では、給電部と電子機器とを別体で構成しているので、こうした問題も防止できる。
【００２６】
ところで、衛星受信アンテナの受信部には、通常、衛星放送電波を受信することにより得られる十数ＧＨｚ帯の受信信号を、１〜２ＧＨｚの伝送用の受信信号にダウンコンバートするコンバータが設けられており、衛星放送受信用の受信端末からは、このコンバータを動作させるための電源信号（直流電圧）が伝送されてくることがある。
【００２７】
このため、電子機器には、請求項２に記載のように、伝送線を介して端末側から出力端子へと伝送されてきた電源信号を、出力端子から衛星受信アンテナの受信部に接続される入力端子へと通過させる電源通過回路を設けるとよい。
【００２８】
つまり、電子機器をこのように構成すれば、電子機器内に、衛星受信アンテナへの給電経路を形成することができるようになり、その給電経路を別途設ける必要がないので、ＵＨＦアンテナの設置工事をより簡単に行うことができる。
【００２９】
次に、請求項３に記載のＵＨＦアンテナにおいては、電子機器内に、増幅回路と電源回路とが設けられている。
従って、このＵＨＦアンテナによれば、電子機器内にて、端末側より伝送されてきた電源信号を利用してＵＨＦ受信信号を増幅することができるようになり、ＵＨＦ放送電波が届き難く、その信号レベル（電界強度）が低い地域でも、利用することができる。よって、この請求項３に記載の発明によれば、本発明のＵＨＦアンテナの利用可能範囲を拡大することができるようになる。
【００３０】
また次に、請求項４に記載のＵＨＦアンテナにおいては、固定部が、衛星受信アンテナのアーム部に固定された状態でアンテナ素子の電波の放射方向を調整できるように構成されている。
【００３１】
従って、このＵＨＦアンテナによれば、衛星受信アンテナの反射鏡の鏡面から見て、地上放送電波を送信してくる地上局が、衛星放送電波を送信してくる放送衛星（ＢＳ）や通信衛星（ＣＳ）とは異なる方位に位置する場合であっても、アンテナ素子の電波の放射方向を、地上局に向くように調整できることになる。
【００３２】
次に、請求項５に記載の衛星受信アンテナは、アーム部に、上述した本発明（請求項１〜請求項４）のＵＨＦアンテナが装着されている。
従って、この衛星受信アンテナによれば、従来より販売若しくは設置されている衛星受信アンテナと本発明（請求項１〜請求項４）のＵＨＦアンテナとを利用して、ＵＨＦ／衛星放送共用受信アンテナを簡単に構成できる。
【発明を実施するための最良の形態】
【００３３】
以下に本発明の実施形態を図面と共に説明する。
図１は本発明が適用された実施形態のＵＨＦ／衛星放送共用受信アンテナ（以下単に受信アンテナともいう）１の全体構成を表す説明図である。
【００３４】
本実施形態の受信アンテナ１は、放送衛星（ＢＳ）及び通信衛星（ＣＳ）の一方、若しくはその両方から配信される衛星放送信号と、ＵＨＦ帯のテレビ放送電波を利用して地上局から配信される地上デジタル放送等のＵＨＦ放送信号とを受信し、その受信信号を一本の伝送線（同軸ケーブル）を利用して、テレビチューナ等の受信端末（図示せず）まで伝送できるようにしたものであり、衛星放送受信用の衛星受信アンテナ（本実施形態ではオフセット型のパラボラアンテナ）にＵＨＦアンテナ１０を一体化することによって構成されている。
【００３５】
図１に示す如く、この受信アンテナ１を構成している衛星受信アンテナ（つまり、オフセット型パラボラアンテナ）は、反射鏡３と、この反射鏡３の裏面に設けられて反射鏡３を支柱４等に固定するための取付部５と、この取付部５から反射鏡３の前面（つまり、反射面）の焦点付近まで延出されたアーム部７と、アーム部７の先端に固定されることにより、アーム部７を介して反射鏡３の焦点位置に配置され、反射鏡３により集波された衛星放送信号の電波を受信する一次放射器９とから構成されている。
【００３６】
なお、一次放射器９には、受信信号（十数ＧＨｚ）を数ＧＨｚの中間周波信号にダウンコンバートするコンバータが組み込まれており、一次放射器９からは、そのダウンコンバート後の中間周波信号が衛星受信信号として出力される。
【００３７】
一方、ＵＨＦアンテナ１０は、図２に示すように、略円形のループ状に形成されたアンテナ素子１２と、このアンテナ素子１２の両端に接続された給電部１４とからなる放射器にて構成されている。そして、このＵＨＦアンテナ１０の給電部１４は、図１に示すように、アンテナ素子１２が反射鏡３と一次放射器９との間に位置し、しかも、アンテナ素子１２のループ（詳しくはループの開口面）が反射鏡３と対向するように、固定部１６を介して、アーム部７に固定されている。
【００３８】
また、アーム部７における給電部１４の固定位置は、図１に二点鎖線で示す如く、反射鏡３にて反射された衛星放送信号の電波が、アンテナ素子１２のループの内側を通って一次放射器９に入射するよう（換言すれば、衛星放送信号の電波がアンテナ素子１２にて遮断されることのないよう）、一次放射器９が取り付けられたアーム部７の先端部近傍に設定されている。
【００３９】
次に、固定部１６は、図２〜図４に示す如く、アーム部７に直接固定される固定部本体２２と、ＵＨＦアンテナ１０の給電部１４を載置するための載置台２６と、固定部本体２２に一体的に形成されて載置台２６を回動自在に支持する支持部２４と、固定部本体２２に延設されてブースター等の電子機器１８を装着するための機器装着部２８と、から構成されている。
【００４０】
なお、図２は、反射鏡３の反射面に向かって受信アンテナ１を見たときのＵＨＦアンテナ１０及び固定部１６の状態を表す正面図であり、図３は、ＵＨＦアンテナ１０及び固定部１６を図２の右方向から見た側面図であり、図４はＵＨＦアンテナ１０及び固定部１６を上方及び下方から見た状態を表す平面図（ａ）及び底面図（ｂ）である。
【００４１】
ここでまず、固定部本体２２は、アーム部７を挿通できるように矩形の環状に形成されている。そして、その矩形の環を形成している４辺のうち、固定部本体２２をアーム部７に固定した際に側壁２２ｂとなる環の一辺には、アーム部７を環の外側から内側に導入するための開口２２ａが形成されており、固定部本体２２をアーム部７に固定した際に環の下壁２２ｃとなる底辺には、蝶ねじからなる固定ねじ３２を螺入するためのねじ孔が穿設されている。
【００４２】
このため、固定部本体２２をアーム部７に固定する際には、このねじ孔に固定ねじ３２を環の外側から螺入し、環の内側に配置されたアーム部７を、固定ねじ３２の先端に設けた当接板３２ａで押圧することで、固定部本体２２をアーム部７にしっかりと固定できるようになる。
【００４３】
また、固定部本体２２をアーム部７に固定した際に上壁２２ｄとなる環の外周面（上面）には、支持部２４が形成されている。そして、この支持部２４には、固定部本体２２をアーム部７に固定した際、アーム部７の中心軸に沿った垂直面と略平行となるように、固定部本体２２の上壁２２ｄから上方に向けて一対の側壁２４ａ，２４ｂが突設されている。
【００４４】
一方、載置台２６において、給電部１４の載置面とは反対側の面（つまり下面）には、板状の突出部２６ａが突設されている。そして、この突出部２６ａは、支持部２４を構成している側壁２４ａ，２４ｂの間に嵌合される。つまり、支持部２４は、一対の側壁２４ａ，２４ｂの間に、載置台２６の下面に突設された板状の突出部２６ａが嵌合されること
によって、載置台２６を、アーム部７の軸方向に沿って変位可能に支持するように構成されている。
【００４５】
また、支持部２４の側壁２４ａ，２４ｂ、及び、この側壁２４ａ，２４ｂの間に嵌合される載置台２６の突出部２６ａには、これら各部を略水平方向に貫通するためのねじ孔が穿設されている。そして、このねじ孔には、蝶ねじからなる仰角調整ねじ３６のボルト部が挿入されており、この仰角調整ねじ３６によって、支持部２４の側壁２４ａ，２４ｂ間を締め付け、載置台２６の突出部２６ａを、仰角調整ねじ３６を中心とする所望の回動位置に固定できるようにされている。
【００４６】
つまり、本実施形態では、仰角調整ねじ３６を利用して、載置台２６に載置された給電部１４のアーム部７に対する傾斜角度（換言すればアンテナ素子１２の放射中心軸の仰角）を所望角度に調整できるようにされている。なお、載置台２６は、給電部１４を固定し且つ支持部２４に装着された状態で仰角調整ねじ３６を中心に略１８０度回動できるように構成されている。
【００４７】
また次に、アンテナ素子１２の両端は、給電部１４の左右一対の側壁からその内部に挿入されており、このアンテナ素子１２の両端が挿入される給電部１４の略中心位置には、給電部１４を上下に貫通する貫通孔が形成されている。また、載置台２６には、この貫通孔との対応位置にねじ孔が形成されている。
【００４８】
そして、給電部１４は、載置台２６に載置した後、給電部１４の貫通孔に、蝶ねじからなる方位調整ねじ３８を挿入し、この方位調整ねじ３８の先端を載置台２６に穿設されたねじ孔に螺合し、締め付けることにより、載置台２６上に固定される。
【００４９】
従って、給電部１４を載置台２６に固定する際、方位調整ねじ３８を締め付けるまでは、給電部１４は、方位調整ねじ３８を中心に回動可能であり、本実施形態では、その回動位置を調整することによって、ＵＨＦアンテナ１０の水平方向の向きを任意に設定できることになる。
【００５０】
次に、機器装着部２８は、図１に示すように、アーム部７を挟んでＵＨＦアンテナ１０とは反対側（つまりアーム部７の下方）に電子機器１８を固定するためのものであり、固定部本体２２において開口２２ａが形成されていない側壁２２ｅからアーム部７に沿うように延設されている。
【００５１】
また、この機器装着部２８に装着される電子機器１８は、合成樹脂からなる防水ケースに、ＵＨＦアンテナ１０の給電部１４からのＵＨＦ受信信号を入力するためのＵＨＦ入力端子Ｔｉｎ１と、衛星受信アンテナの受信部である一次放射器９からの衛星受信信号を入力するための衛星入力端子Ｔｉｎ２と、これら両信号を混合した受信信号を出力するための出力端子Ｔｏｕｔとを組み付け、更に、その防水ケース内に、ＵＨＦ受信信号を増幅し、増幅後のＵＨＦ受信信号と衛星受信信号とを混合して出力する電子回路を収納したものである。
【００５２】
そして、電子機器１８の防水ケースには、機器装着部２８に装着した際に、上記各端子Ｔｉｎ１、Ｔｉｎ２、Ｔｏｕｔが取り付けられた壁面が下方を向くよう、その壁面とは反対側の上壁面の中央に、機器装着部２８への固定用の突起１８ａ、１８ｂが突設されており、電子機器１８は、この突起１８ａ、１８ｂを機器装着部２８にねじ止め固定することにより、機器装着部２８の下方（換言すればアーム部７の下方）に配置される。
【００５３】
なお、上述したように、載置台２６は、給電部１４を固定し且つ支持部２４に装着され
た状態で仰角調整ねじ３６を中心に略１８０度回動できるように構成されているため、図３（ｂ）に示すように、ＵＨＦアンテナ１０の収納時には、アンテナ素子１２を、機器装着部２８や電子機器１８と平行になるよう折り畳むことにより、ＵＨＦアンテナをコンパクトに収納することができる。
【００５４】
次に、図５は、電子機器１８の回路構成を表す回路図である。
図５に示すように、電子機器１８には、ＵＨＦ入力端子Ｔｉｎ１からの入力信号の中からＵＨＦアンテナ１０にて受信されたＵＨＦ受信信号のみを選択的に取り込むためのローパスフィルタ（ＬＰＦ）４２と、このＬＰＦ４２からの入力信号（ＵＨＦ受信信号）を増幅する増幅回路４４と、この増幅回路４４からの出力が所定の目標レベルとなるように増幅回路４４の利得を自動調整する自動利得調整回路（ＡＧＣ回路）４６と、増幅回路４４にて増幅されたＵＨＦ受信信号を出力端子Ｔｏｕｔに導くためのＬＰＦ４８と、衛星入力端子Ｔｉｎ２からの入力信号の中から一次放射器９にてダウンコンバートされた衛星受信信号のみを選択的に取り込み、出力端子Ｔｏｕｔに導くためのハイパスフィルタ（ＨＰＦ）５０とが設けられている。
【００５５】
なお、ＬＰＦ４２、４８のカットオフ周波数は、例えば７７０ＭＨｚに設定され、ＨＰＦ５０のカットオフ周波数は、例えば１ＧＨｚに設定されている。また、ＡＧＣ回路４８には、目標レベルを設定するための可変抵抗（所謂ボリューム）４６ａが設けられており、この可変抵抗４６ａは、図４（ｂ）に示すように電子機器１８の防水ケースに穿設された利得調整用孔１８ｃを介して、外部から操作できるようになっている。但し、この利得調整用孔１８ｃは、通常、防水キャップ１９にて閉塞されている。
【００５６】
また次に、電子機器１８には、同軸ケーブルを介して出力端子Ｔｏｕｔに接続されるデジタルチューナ等の端末装置から伝送されてきた電源信号（直流電圧）を一次放射器９（詳しくは内部のコンバータ）に供給できるようにするために、ＨＰＦ５０に対して並列に接続されたチョークコイルＬが設けられ、更に、この直流電圧がＬＰＦ４８を通って増幅回路４４側に印加されるのを防止するために、ＬＰＦ４８と出力端子Ｔｏｕｔとの間に直列に接続された直流カット用のコンデンサＣが設けられている。
【００５７】
また、電子機器１８には、デジタルチューナ等の端末装置から出力端子Ｔｏｕｔに伝送されてきた電源信号（直流電圧）から増幅回路４４を動作させるための電源電圧を生成する電源回路５４と、出力端子Ｔｏｕｔから電源回路５４に電源信号（直流電圧）を入力するためのＬＰＦ５２とが設けられている。なお、このＬＰＦ５２は、ＵＨＦ受信信号の通過を阻止し、直流成分のみを通過させるためのものであり、そのカットオフ周波数は、テレビ放送信号に比べて充分低い周波数に設定されている。
【００５８】
以上説明したように、本実施形態の受信アンテナ１は、オフセット型パラボラアンテナのアーム部７に、所謂ループアンテナからなるＵＨＦアンテナ１０を設けることによって、パラボラアンテナの反射鏡３をＵＨＦアンテナ１０の反射器として利用するようにされている。
【００５９】
このため、地上デジタル放送等、ＵＨＦ放送を受信するために、放射器と導波器と反射器とから成る一般的なＵＨＦアンテナを用いる場合に比べて、ＵＨＦアンテナ自体を小型化することができるようになり、使用者の使い勝手を向上することができる。
【００６０】
また、ＵＨＦアンテナ１０は、アンテナ素子１２のループの内側を衛星放送信号の電波が通るように、固定部１６を介してアーム部７に固定されることから、ＵＨＦアンテナ１０によって衛星放送信号の電波が遮断されるようなことはなく、一次放射器９では衛星放
送信号を良好に受信することができる。
【００６１】
また更に、アーム部７に直接固定される固定部１６の固定部本体２２は、側壁の一部が開口した環状に形成されており、アーム部７には着脱自在に固定できることから、本実施形態のＵＨＦアンテナ１０は、この固定部１６を利用することによって、ベランダ等に既に設置されている既存のパラボラアンテナに装着することもできる。
【００６２】
よって、本実施形態の受信アンテナ１は、こうした既存のパラボラアンテナにＵＨＦアンテナ１０を装着することによっても実現することができることになり、例えば、パラボラアンテナが既に設置されている家庭や施設において、地上デジタル放送を受信するためにＵＨＦアンテナを新たに設置するような場合には、極めて簡単にしかも安価に地上デジタル放送用のＵＨＦアンテナを設置することができるようになる。
【００６３】
また、本実施形態のＵＨＦアンテナ１０は、反射鏡３を反射器として利用することにより、ＵＨＦ放送局からの放送電波を受信することから、ＵＨＦアンテナ１０の指向特性は、反射鏡３の向きによって決定されることになるが、本実施形態では、仰角調整ねじ３６及び方位調整ねじ３８を介して、アンテナ素子１２の向き（放射中心軸の仰角や方位）を調整できるようにされているので、ＵＨＦアンテナ１０の指向特性を、任意に設定することができる。よって、本実施形態によれば、ＵＨＦアンテナ１０による受信可能範囲を拡大することができる。
【００６４】
一方、固定部１６の固定部本体２２には、アーム部７を挟んでＵＨＦアンテナ１０とは反対側に電子機器１８を固定するための機器装着部２８が設けられており、アーム部７の下方には、この機器装着部２８を介して電子機器１８が固定されている。
【００６５】
そして、この電子機器１８は、ＵＨＦ受信信号を増幅し、その増幅後のＵＨＦ受信信号と衛星受信信号とを混合して出力することができるので、これら各信号を受信端末まで伝送するために、別途混合器を設けたり、同軸ケーブル等からなる伝送線を２系統配線する、といった必要がなく、本実施形態の受信アンテナ１の設置作業を簡単することができる。
【００６６】
また、この電子機器１８には、電源通過回路としてのチョークコイルＬや、電源回路５４が設けられており、端末側から伝送されてきた電源信号（直流電圧）を一次放射器９側に出力して、一次放射器９内のコンバータを動作させたり、電子機器１８内の増幅回路４４の駆動に必要な電源電圧を、端末側から伝送されてきた電源信号（直流電圧）を用いて生成することができる。よって、本実施形態の受信アンテナ１によれば、一次放射器９内のコンバータや電子機器１８内の増幅回路４４に電源供給を行うための給電系路を別途設ける必要がなく、これによっても設置作業を簡単にすることができる。
【００６７】
以上、本発明の一実施形態について説明したが、本発明は上記実施形態に限定されるものではなく、本発明の技術範囲内にて種々の態様を採ることができる。
例えば、上記実施形態では、電子機器１８の防水ケースには、ＵＨＦ受信信号を入力するためのＵＨＦ入力端子Ｔｉｎ１が装着されており、ＵＨＦアンテナ１０の給電部１４から引き出された同軸ケーブルを、このＵＨＦ入力端子Ｔｉｎ１に接続することにより、電子機器１８にＵＨＦ受信信号を入力するものとして説明したが、図６に示すように、給電部１４の内部回路と電子機器１８の内部回路とを、同軸ケーブルを介して直接接続するようにしてもよい。そして、このようにすれば、電子機器１８の防水ケースにＵＨＦ入力端子Ｔｉｎ１を設ける必要がないため、部品点数を少なくして、製造コストを低減することができる。
【００６８】
なお、図６において、（ａ）は、この変形例のＵＨＦアンテナ１０及び固定部１６を右方向から見た側面図であり、（ｂ）は、これら各部を下方から見た底面図である。そして、給電部１４と電子機器１８とを直接接続する同軸ケーブルは、これら各部を固定部１６を介してアーム部７に固定した際に下方を下面に設けられている。これは、衛星入力端子Ｔｉｎ２や出力端子Ｔｏｕｔと同様、雨水が内部に侵入するのを防止するためである。
【００６９】
また、上記実施形態では、電子機器１８の上面には、電子機器１８を機器装着部２８に装着するための突起１８ａ、１８ｂが突設されているものとして説明したが、電子機器１８は、機器装着部２８に装着できればよいため、例えば、図７に示すように、電子機器１８の防水ケースの側面に、装着固定用のねじ孔を設け、その側面を機器装着部２８に当接して、ねじ止め固定するようにしてもよい。なお、図７において、（ａ）は、この変形例のＵＨＦアンテナ１０及び固定部１６を右方向から見た側面図であり、（ｂ）は、これら各部を下方から見た底面図である。
【００７０】
また次に、上記実施形態では、電子機器１８内には、ＵＨＦ受信信号の増幅回路４４が内蔵されており、電子機器１８からは、この増幅回路４４により増幅されたＵＨＦ受信信号と衛星受信信号とを混合した受信信号が出力されるものとして説明したが、電子機器１８内には、ＵＨＦ受信信号の増幅回路４４に加えて、衛星受信信号の増幅回路を設け、これら各増幅回路にて増幅されたＵＨＦ受信信号と衛星受信信号とを混合した受信信号が出力されるように構成してもよい。また、電子機器１８は、単にＵＨＦ受信信号と衛星受信信号とを混合して出力する混合回路として構成してもよい。
【図面の簡単な説明】
【００７１】
【図１】実施形態のＵＨＦ／衛星放送共用受信アンテナの全体構成を表す説明図である。
【図２】ＵＨＦアンテナ及び固定部の構成を表す正面図である。
【図３】ＵＨＦアンテナ及び固定部の構成を表す側面図である。
【図４】ＵＨＦアンテナ及び固定部の構成を表す平面図及び底面図である。
【図５】電子機器の回路構成を表す回路図である。
【図６】ＵＨＦアンテナ及び固定部の変形例を表す側面図及び底面図である。
【図７】ＵＨＦアンテナ及び固定部の他の変形例を表す側面図及び底面図である。
【符号の説明】
【００７２】
１…受信アンテナ（ＵＨＦ／衛星放送共用受信アンテナ）、３…反射鏡、５…取付部、７…アーム部、９…一次放射器、１０…ＵＨＦアンテナ、１２…アンテナ素子、１４…給電部、１６…固定部、１８…電子機器、１８ａ・，１８ｂ・・突起、１８ｃ…利得調整用孔、１９…防水キャップ、２２…固定部本体、２２ａ…開口、２２ｂ，２２ｅ…側壁、２２ｃ…下壁、２２ｄ…上壁、２４…支持部、２４ａ，２４ｂ…側壁、２６…載置台、２６ａ…突出部、２８…機器装着部、３２…固定ねじ、３２ａ…当接板、３６…仰角調整ねじ、３８…方位調整ねじ、Ｔｉｎ１…ＵＨＦ入力端子、Ｔｉｎ２…衛星入力端子、Ｔｏｕｔ…出力端子、４２，４８，５２…ＬＰＦ（ローパスフィルタ）、４４…増幅回路、４６ａ…可変抵抗、４８…ＡＧＣ回路（自動利得調整回路）、５０…ＨＰＦ（ハイパスフィルタ）、５４…電源回路、Ｃ…コンデンサ、Ｌ…チョークコイル。
【図１】
0004648866.tif 000002
【図２】
0004648866.tif 000003
【図３】
0004648866.tif 000004
【図４】
0004648866.tif 000005
【図５】
0004648866.tif 000006
【図６】
0004648866.tif 000007
【図７】
0004648866.tif 000008